(57)【要約】【課題】  画像読取装置に設ける走査装置の駆動系で、読取り方向の上流側に歯のないテンションプーリを設けて、駆動伝達する際に振動等の影響を受けないようにする。【解決手段】  画像読取装置に設ける走査装置１０を、テンションプーリ２６と駆動プーリ２５に掛け渡した駆動ベルト１８に接続して駆動伝達する。前記走査装置１０の読取り時の移動方向上流側に配置するテンションプーリ２６は、歯を設けたタイミングベルトに対して、歯のないものを用いて、読取り時にプーリの歯により振動等が生じることを阻止できて、走査装置１０を滑らかに移動させ得るようにする。【選択図】          図３
2005043642.tif 000002
【特許請求の範囲】
【請求項１】
プラテンにセットした原稿の画像の読取りを行う画像読取装置において、
前記プラテンの下面に沿って走査装置を移動させるために、ガイド手段と駆動手段とを設け、
前記駆動手段においては、読取り時の走査装置の移動方向上流側にテンションプーリを配置し、戻り方向に駆動プーリを設けて、
前記走査装置を前記駆動手段により定速で移動させながら、原稿の画像の読取りを行うことを特徴とする画像読取装置。
【請求項２】
前記テンションプーリには、支持軸とプーリとの間にトルクを制限する手段を設け、
駆動モータから伝達される振動を減衰させる手段を構成することを特徴とする請求項１に記載の画像読取装置。
【請求項３】
前記走査装置を牽引する部材としてタイミングベルトを用い、前記テンションプーリには歯を設けないプーリとして構成することを特徴とする請求項１または２に記載の画像読取装置。
【発明の詳細な説明】
【技術分野】
【０００１】
本発明は、画像形成装置に組み合わせる画像読取装置に関し、特に、走査装置に対して駆動モータからの振動が伝達されないように、タイミングベルトを設けた装置に関する。
【背景技術】
【０００２】
従来より、複写機や、ファクシミリ装置と複写機手段を組み合わせた複合機のような画像形成装置においては、その装置本体の上部に画像読取装置を組み合わせており、前記画像読取装置としては、ＦＢＳ（フラットベッドスキャナ）機能と、ＡＤＦ（自動原稿搬送装置）機能との、２つの読取り機能を設けて、前記２つの機能に対して、１つの走査装置を用いている。そして、前記読取装置により読み取った原稿の画像情報を、記録部に伝達して記録紙を作成するようにされている。前記画像形成装置と組み合わせる画像読取装置においては、読取装置として、１つの移動部材にランプと複数のミラー、レンズやＣＣＤ等を組み合わせて設けて、コンパクトに構成した走査装置が用いられることが多くなっている。
【０００３】
前記読取装置においては、駆動モータからの振動等が容易に伝達されるという問題があり、読み取った画質に、前記駆動系の振動の影響が生じることを防止する手段を設けること等の対策が用いられている。前記従来例の装置では、例えば、走査装置に接続するベルトの駆動系を、モータと駆動軸、および駆動軸（プーリ）とベルトとの間で分割し、モータと駆動プーリとの間で、駆動開始時等に発生する衝撃等が直接伝達されないように遮断している。そして、前記モータと駆動軸の間で、伝導ベルト等に対して張力を調整する手段を設けて、走査装置の移動開始時、加速時および減速の動作の開始時等に発生するテンションの変化を、前記張力調整手段により吸収可能に構成している（例えば、特許文献１を参照）。
【特許文献１】特開平９−１４９２０４
【発明の開示】
【発明が解決しようとする課題】
【０００４】
ところが、前記従来例の装置では、駆動モータ等から伝達される振動等を、駆動伝達系のベルトに設けた張力調整手段により吸収させるようにしているものの、その構成が複雑になるという問題がある。前記駆動伝達系で発生する振動等は、駆動プーリの側で多く発生するものであり、一般に、読取り時の走査装置の移動方向に駆動プーリを設ける場合には、モータから伝達される振動等を阻止することは非常に難しい問題となる。
【０００５】
本発明は、テンションプーリを走査装置の読取り時の移動側に配置して、モータ等の振動が走査装置に伝達されることを容易に防止可能にする装置を提供することを目的としている。
【課題を解決するための手段】
【０００６】
本発明は、プラテンにセットした原稿の画像の読取りを行う画像読取装置に関する。請求項１の発明は、前記プラテンの下面に沿って走査装置を移動させるために、ガイド手段と駆動手段とを設け、前記駆動手段においては、読取り時の走査装置の移動方向上流側にテンションプーリを配置し、戻り方向に駆動プーリを設けて、前記走査装置を前記駆動手段により定速で移動させながら、原稿の画像の読取りを行うことを特徴とする。
請求項２の発明は、前記テンションプーリには、支持軸とプーリとの間にトルクを制限する手段を設け、駆動モータから伝達される振動を減衰させる手段を構成することを特徴とする。
請求項３の発明は、前記走査装置を牽引する部材としてタイミングベルトを用い、前記テンションプーリには歯を設けないプーリとして構成することを特徴とする。
【発明の効果】
【０００７】
前述したように、走査装置を移動させるための駆動機構において、モータからの振動等が直接伝達される駆動プーリを、走査装置の走査方向下流側に配置することで、駆動系の機構を大幅に変更したりすることなしに、走査装置に対する駆動装置を構成できる。そして、前記構成により、読取り開始時にモータから伝達される振動が、走査装置に直接伝達されることを阻止でき、読み取った画像の質を良好に維持できる。また、テンションプーリに対してトルク制限機構を設けることや、歯を有しないテンションプーリを用いること等により、走査装置に対して駆動系からの振動が伝達されることを、効果的に防止できるものとされる。さらに、読取り方向に走査装置を移動させる方向に対して、タイミングの歯に係合しないように、歯を設けないテンションプーリを配置して駆動することにより、駆動開始時や、増減速時に走査装置に対して振動や衝撃が直接伝達されることを防止できる。
【発明を実施するための最良の形態】
【０００８】
以下に、走査装置を駆動するための機構を説明するが、前記走査装置に対する駆動機構を設けた画像読取装置は、電子写真方式を用いて記録紙を作成する装置と組み合わせて、画像形成装置として構成することができる。また、以下に説明する実施例において、画像記録装置の構成は、特に、本発明の要旨ではないことから、画像読取装置の構成と、走査装置に対する駆動機構の構成とを主として説明する。
【実施例】
【０００９】
図示される例にしたがって、本発明の構成を説明する。図１に示す例は、ＡＤＦ２とＦＢＳ方式の読取り手段を備えた画像読取装置１に関するものて、原稿扱い手段に対応させてその下部には読取フレーム２０を設けている。前記ＦＢＳ機能とＡＤＦ機能の各々に対応させたプラテン２３、２４を、前記読取フレーム２０の上部分の所定の位置に設け、ＡＤＦ機能を利用してシートものの原稿の読取りを行う際には、前記プラテン２３の位置に走査装置１０を停止させて読取りを行うようにする。また、ＦＢＳ機能を利用してブックものまたはシート等の原稿の読取りを行う際には、プラテン２４の上に原稿をセットし、排出トレイを兼ねた排出トレイ９により原稿を押圧して保持する。そして、前記プラテン２４の下面に沿わせて走査装置を移動させながら、原稿の読取りを行うことは、従来の画像読取装置と同様である。
【００１０】
前記画像読取装置１において、読取フレーム２０の上部に配置されるＡＤＦ２は、読取フレーム２０の上部のリヤ側に設けたヒンジ手段を用いて、開閉可能に設けられる原稿押圧板に一体に設けられている。前記ＡＤＦ２は、従来公知のＡＤＦと同様に、略横向きのＵ字状の搬送路６を介して、原稿トレイ３と排出トレイ９とを接続しており、前記原稿搬送路６の下部のプラテン２３に対応する部分で、搬送される原稿の画像の読取りを行う。前記原稿トレイ３からの原稿の挿入部には、ピックアップローラ４と用紙さばき装置５とを設けて、原稿トレイ２にセットした原稿に対してをさばき作用を付与し、１枚ずつ原稿搬送路６に向けて給紙する。図示する用紙さばき装置５においては、フィードローラ５ａとさばきパッド５ｂとを組み合わせて構成している。この例とは別に、前記用紙さばき装置としては、フィードローラとリタードローラとを組み合わせて、送り出した原稿の下部のものを原稿トレイに向けて戻すように構成しても良いことはもちろんである。
【００１１】
前記用紙さばき装置５を介して１枚ずつに分離された原稿は、搬送ローラ装置７により一定の速度で原稿搬送路６内を搬送されて、プラテン２３の部分で、その下部に待機されている走査装置１０により画像の読取りが行われる。そして、読取りが終了した原稿は、排出路８から排出ローラ装置８ａにより排出トレイ９に向けて排出される。なお、前記排出トレイ９は、ＦＢＳ機能の原稿押圧板の上面を用いて構成するものであり、この原稿押圧板を排出トレイとして用いることも、従来公知のＡＤＦまたはＦＢＳを組み合わせて構成する装置と同様に構成される。
【００１２】
前記２種類のプラテン２３、２４を設けた読取フレーム２０の内部では、１つのキャリッジを設けた走査装置１０が、前記２種類の機能に対応させて、移動しながら走査するモードと、固定位置に停止した状態で走査するモードとに対応可能としている。前記走査装置１０は、図の横方向に移動可能に設けられるもので、移動フレーム１１の上部にはランプ１２を配置し、そのフレーム１１の内部には複数のミラー１３、１３ａ、……による光路を形成している。
【００１３】
そして、ＡＤＦ機能を用いて原稿の読取りを行う際には、原稿搬送路６内を定速で搬送する原稿をランプ１２により照射し、所定の長さに形成された光路を介して、その光路の端部に設けたレンズ１４によりＣＣＤ１５に結像させて、光信号をデジタル信号として出力し、接続する画像形成装置に向けて伝達させる。また、ＦＢＳ機能を用いる場合には、プラテン２４上にセットした原稿を、前記原稿の長さに対応する距離だけ走査装置１０を移動させて、原稿の画像の読取りを行い、画像の読取り情報をデジタル信号で出力するようにしている。
【００１４】
前記走査装置１０から得られる画像情報は、前記画像読取装置１に組み合わせて設ける画像形成装置に伝達して、記録紙の作成に用いることの他に、ファクシミリ装置（ＦＡＸ）の機能を利用して、遠隔地のＦＡＸに向けて送信することも可能である。また、前記画像読取装置をパソコン等の情報処理機器に接続して、情報入力手段として用いることも従来の装置と同様である。
【００１５】
前記画像読取装置１において、従来の画像読取装置の場合と同様に、読取フレームの中に配置されるガイド手段に沿って、走査装置が往復移動可能に設けられるが、前記走査装置１０を移動させるために、図２、３に示すようなガイド手段と駆動伝達機構を用いることが可能である。前記走査装置１０を読取フレーム２０の内部で往復移動させるために、装置の一方の側にガイドロッド２１を配置し、他方の側にはガイドレール２２を設けて、駆動ベルト１８により読取りと戻し方向に往復移動させるように構成している。
【００１６】
前記走査装置１０のガイドと駆動手段とを説明する図２、３の例において、走査装置１０の移動方向に案内するガイドロッド２１とガイドレール２２は、プラテン２４と平行に配置される。前記走査装置の案内手段に対して、その駆動系において、駆動ベルト１８を駆動する駆動プーリ２５とテンションプーリ２６とを、画像読取装置のフレーム２０の両端部に設けて、駆動伝達系３０を構成している。前記駆動伝達系においては、前記駆動プーリ２５の軸３３と同軸に駆動ギヤ３２を設けて、駆動モータ３１から駆動伝達が行われる。また、前記駆動プーリ２５と対向する他側の端部に設けるテンションプーリ２６に対しては、任意の構成のテンション付与手段３５を設けて、前記走査装置１０を駆動する駆動ベルト１８に対して、所定の値の張力を付与させるように、調整可能に設けている。
【００１７】
前記駆動系３０に設けるテンションプーリ２６に対しては、図４に示すように、張力付与手段３５に支持される軸２７に対して、前記プーリ２６を支持させている。前記テンションプーリ２６に巻き掛ける駆動ベルト１８が、タイミングベルトであり、プーリに当接する表面に歯が形成されて、駆動プーリの歯に係合されて、確実な駆動伝達が行われるように構成された駆動伝達系を構成している。前記駆動プーリ２５に対して、テンションプーリ２６においては、そのベルトに当接する表面には歯が形成されていないものを用い、駆動ベルト１８との間では、プーリ表面とベルトの間での摩擦係合させるように構成している。そして、前記プーリ２６の側面に対して摩擦付与手段２８をスプリング２９により押圧して、常時一定の値の摩擦抵抗力を付与し、駆動開始時や、増・減速時に、駆動プーリからベルトに付与される振動や衝撃等の影響が、テンションプーリ２６に加えられる抵抗により減衰されて、走査装置１０の読取り作用に支障が付与されないようにする。
【００１８】
前述したような駆動伝達系を設けた画像読取装置において、プラテンにセットした原稿を読み取る際に、走査装置１０を矢印Ａ方向に移動させるようにしている。つまり、本実施例では、走査装置１０をテンションプーリ２６側に移動させながら、原稿の画像の読取りを行い、走査装置を戻す際には、駆動プーリ２５側に移動させるようにする。前記走査装置１０を走査方向に定速で移動させる際に、トルクリミッタ機構を作動させることにより、駆動ベルト１８に対して、駆動モータ等から伝達される振動等が加えられることを防止できるようにする。そして、走査装置に読み取られる画像情報に対して、振動の影響が現れることを防止可能とし、駆動モータや駆動系の振動を容易に遮断できて、良好な画質の画像情報を得ることを可能にする。
【００１９】
前述したように、走査装置に対する駆動系において、テンションプーリに対して設けるテンション調整機構の構成、または、トルクリミッタの構成等は、特に、図示したような構成に限定されるものではなく、従来公知のトルク抑制手段や、駆動伝達手段等を用いても良いのである。また、前記走査装置１０を走査方向に往復案内するガイドレール２２と、ガイドロッド２１に対しては、走査装置１０の摺動部材を、フッ素樹脂を被覆する処理を行っておくこと、または、任意の摩擦を低減させる処理を行っておくことにより、前記走査装置をスムーズに移動させることが可能となる。
【００２０】
なお、前記走査装置を駆動するための駆動系とガイド手段において、従来より走査装置の駆動手段として用いられている伝導手段に対して、前記トルク抑制手段と、振動抑制手段とを組み合わせることも可能である。また、前記駆動ベルトを走査装置のテンションプーリ側に向けて駆動する方式を採用することは、従来の画像読取装置の構造を若干変更すること等で容易に対処が可能である。そして、装置の駆動開始時と変速時等の、走査装置に振動が付与されやすい駆動状態に対して、前記本発明に特有な機構の特性を発揮させることにより、走査装置の振動の影響がでることがなく、読み取った画像の画質を良好に再現できるようにすることが可能となる。
【図面の簡単な説明】
【００２１】
【図１】画像読取装置の構成を示す説明図である。
【図２】走査装置とガイド部材の関係の説明図である。
【図３】走査装置の駆動部材の配置関係を示す説明図である。
【図４】テンションプーリに設ける振動抑制手段の説明図である。
【符号の説明】
【００２２】
１    画像読取装置、  ２    ＡＤＦ、  ３    原稿トレイ、
４    ピックアップローラ、  ５    用紙さばき装置、  ６    原稿搬送路、
７    搬送ローラ装置、  ８    排出路、  ９    排出トレイ、  １０    走査装置、  １１    移動フレーム、  １２    ランプ、  １３    ミラー、  １４    レンズ、
１５    ＣＣＤ、  １６    リヤ側突部、  １７    フロント側突部、
１８    駆動ベルト、  ２０    読取フレーム、  ２１    ガイドロッド、
２２    ガイドレール、  ２３・２４    プラテン、  ２５    駆動プーリ、
２６    テンションプーリ、  ３０    駆動伝達系、  ３５    テンション付与手段。
【図１】
2005043642.tif 000003
【図２】
2005043642.tif 000004
【図３】
2005043642.tif 000005
【図４】
2005043642.tif 000006